(57)【要約】【課題】  騒音の発生やアンバランスが原因となる振動の発生を抑制することができる光ディスクの再生装置を提供する。【解決手段】  モータ部と、光ピックアップと、再生信号を復調して光ディスク信号を形成する光ディスク信号復調部と、光ディスク信号をコンテンツ信号に復調するコンテンツ信号復調部と、光ディスク信号復調部とコンテンツ信号復調部との間に設けられて光ディスク信号を一時的に蓄積するバッファメモリ部と、モータ部の回転数を変えて転送レートを制御するシステム制御部と、を有する光ディスクの再生装置において、システム制御部は不揮発メモリ部を有しており、システム制御部は、バッファメモリ部がアンダフローを生じない範囲内で低下させることができる光ディスクの最低転送レートを求める最低転送レート検査モードを行って、最低転送レートとディスク識別記号とを対応させて不揮発メモリ部に記憶させる。【選択図】  図１
2005158122.tif 000002
【特許請求の範囲】
【請求項１】
再生すべき通常データの他に規格上の転送レートとディスク識別記号とが予め記録されている光ディスクを回転するモータ部と、
前記光ディスクから情報を読み取る光ピックアップと、
前記光ピックアップにより読み取られた再生信号を復調して光ディスク信号を形成する光ディスク信号復調部と、
前記光ディスク信号をコンテンツ信号に復調するコンテンツ信号復調部と、
前記光ディスク信号復調部と前記コンテンツ信号復調部との間に設けられて前記光ディスク信号を一時的に蓄積するバッファメモリ部と、
前記モータ部の回転数を変えて転送レートを制御すると共に、前記光ディスク信号復調部と前記コンテンツ信号復調部と前記バッファメモリ部とを制御するシステム制御部と、を有する光ディスクの再生装置において、
前記システム制御部は不揮発メモリ部を有しており、前記システム制御部は、バッファメモリ部がアンダフローを生じない範囲内で低下させることができる前記光ディスクの最低転送レートを求める最低転送レート検査モードを行って、前記求められた最低転送レートと前記ディスク識別記号とを対応させて前記不揮発メモリ部に記憶させるように構成したことを特徴とする光ディスクの再生装置。
【請求項２】
前記システム制御部は、光ディスクを再生する際には前記光ディスクのディスク識別記号に基づいて前記不揮発メモリ部の記憶内容を参照し、前記ディスク識別記号が存在する時には該ディスク識別記号に対応する最低転送レートを用い、存在しない時には前記光ディスクに記録されている規格上に転送レートを用いて再生を行なうことを特徴とする請求項１記載の光ディスクの再生装置。
【発明の詳細な説明】
【技術分野】
【０００１】
本発明は、光ディスクの再生装置に関する。
【背景技術】
【０００２】
情報記録円盤としてＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）を含む光ディスクは広く用いられている。この種のＣＤ−ＲＯＭやＤＶＤで円盤を高速回転する際は、ダイナミックアンバランスや風切音が使用者の静かな鑑賞を妨げる場合が有った。このため再生装置側の技術的対処として、特許文献１に示すように、コンピュータ用のデータディスクと音楽や映画等のコンテンツ鑑賞型のディスクとを判別して、前者は高速で再生し、後者は低速で再生する技術が開示されている。
【０００３】
ところで最近、光ディスクにＨＤ（Ｈｉｇｈ  Ｄｅｆｉｎｉｔｉｏｎ）解像度の映画を収録しようと言う動きが活発になってきた。この場合、再生波長が６５０ｎｍのレーザ光を使う普通のＤＶＤ盤にＨＤ画像の記録再生を行うには、従来のＳＤ（Ｓｔａｎｄａｒｄ  Ｄｅｆｉｎｉｔｉｏｎ）解像度の場合よりも転送レートが高い場面が多くあり、このために従来の標準転送（再生）レートである１０．０８Ｍｂｐｓ（１Ｘ）に対して３倍（３Ｘ) のスピードで円盤を回転して転送レートを確保するのが、考えられる技術である。
ＤＶＤ盤では転送レートとして１０．０８Ｍｂｐｓ（１Ｘ）、５．０４Ｍｂｐｓ（０．５Ｘ）、２．５２Ｍｂｐｓ（０．２５Ｘ）の３種類が規定されており、リードイン領域でのフラグで指定できるようになっている。この技術の目的は低転送レートでコンテンツを再生する際に回転数を落として再生装置の消費電力を節約する事を可能にするためである。
【０００４】
【特許文献１】特開２００２−３６７２７６号公報
【発明の開示】
【発明が解決しようとする課題】
【０００５】
ところで、３Ｘ（３０．２４Ｍｂｐｓ）の転送レートを得るための回転速度でディスクを再生する場合、ディスクのダイナミックアンバランスは、１Ｘの場合と比べて速度比の２乗で悪影響を及ぼすことからこの悪影響は８倍となる。アンバランスが発生する加速度は角速度の２乗に比例するからである。このためにディスクのアンバランス規格は１Ｘ盤の場合よりも厳しく決めるのが妥当であるが、一方ではディスクの量産時における生産性も考慮する必要が有る。この理由で３Ｘ盤をアンバランス規格値として理想的な程には小さくは出来ない為、再生装置においてはアンバランスが原因の振動や騒音の発生は解決したい課題となっている。
【０００６】
ＤＶＤ光ディスクの３Ｘ盤ではディスクの風切音も無視できない量となり、対策としては再生装置から風切音が漏れないようにすれば良いが、冷却通風口を設けなければならないことや遮音対策コストの問題がある。
本発明は、以上のような問題点に着目し、これを有効に解決すべく創案されたものである。本発明の目的は、再生動作に悪影響を与えない範囲内で規格上の転送レート（回転数）よりも低い転送レートで光ディスクを回転させるようにして騒音の発生やアンバランスが原因となる振動の発生を抑制することができる光ディスクの再生装置を提供することにある。
【課題を解決するための手段】
【０００７】
本発明者は、光ディスクの騒音等について鋭意研究した結果、高回転ディスク規格の中で再生装置の動作の静粛性を確保するためには、高回転の具体的な数値としては、１２ｃｍ光ディスクで回転数が毎分３５００回転程度を超えると静粛性が気になり始める場合が多く、ＤＶＤを例に説明すると映画などのプログラムがスタートする半径２４ｍｍの位置（回転数が最も高くなる位置）では、２Ｘの転送レートの時に回転数が３０５６ｒｐｍ、２．５Ｘの転送レートの時に回転数が３８２０ｒｐｍ、３Ｘの転送レートの時に回転数が４５８４ｒｐｍであり、ディスクの回転数を２Ｘの転送レートの時の回転数以下に設定できれば、静粛な再生動作が確保できる、という知見を得ることにより本発明に至ったものである。
【０００８】
請求項１に係る発明は、再生すべき通常データの他に規格上の転送レートとディスク識別記号とが予め記録されている光ディスクを回転するモータ部と、前記光ディスクから情報を読み取る光ピックアップと、前記光ピックアップにより読み取られた再生信号を復調して光ディスク信号を形成する光ディスク信号復調部と、前記光ディスク信号をコンテンツ信号に復調するコンテンツ信号復調部と、前記光ディスク信号復調部と前記コンテンツ信号復調部との間に設けられて前記光ディスク信号を一時的に蓄積するバッファメモリ部と、前記モータ部の回転数を変えて転送レートを制御すると共に、前記光ディスク信号復調部と前記コンテンツ信号復調部と前記バッファメモリ部とを制御するシステム制御部と、を有する光ディスクの再生装置において、前記システム制御部は不揮発メモリ部を有しており、前記システム制御部は、バッファメモリ部がアンダフローを生じない範囲内で低下させることができる前記光ディスクの最低転送レートを求める最低転送レート検査モードを行って、前記求められた最低転送レートと前記ディスク識別記号とを対応させて前記不揮発メモリ部に記憶させるように構成したことを特徴とする光ディスクの再生装置である。
【０００９】
この場合、例えば請求項２に規定するように、前記システム制御部は、光ディスクを再生する際には前記光ディスクのディスク識別記号に基づいて前記不揮発メモリ部の記憶内容を参照し、前記ディスク識別記号が存在する時には該ディスク識別記号に対応する最低転送レートを用い、存在しない時には前記光ディスクに記録されている規格上に転送レートを用いて再生を行なう。
【発明の効果】
【００１０】
本発明の光ディスクの再生装置によれば、再生動作に悪影響を与えない範囲内で規格上の転送レート（回転数）よりも、ディスクの回転数を下げて低い転送レートで光ディスクを再生するようにしたので、ディスクの回転数を低下させた分だけ風切音等の騒音の発生を抑制させることができ、またその分、アンバランスが原因となる振動等も抑制することができる。
【発明を実施するための最良の形態】
【００１１】
以下に、本発明に係る光ディスクの再生装置の一実施例を添付図面に基づいて詳述する。
図１は本発明の光ディスクの再生装置を示すブロック構成図、図２はコンテンツ信号復調部へ入る光ディスク信号の転送レートの変化とバッファメモリ部内のデータ蓄積量の変化を示すグラフ、図３は光ディスクの再生動作を示すフローチャート、図４は転送レート検査モードを示すフローチャートである。
図１に示すように、この光ディスクの再生装置２は、光ディスクＤ１から情報を読み取って再生信号Ｓ１を形成する光ピックアップ４と、上記再生信号Ｓ１を復調して光ディスク信号Ｓ２を形成する光ディスク信号復調部６と、上記光ディスク信号Ｓ２（具体的には後述するＳ３）を復調して映像信号や音声信号等のコンテンツ信号Ｓ４を出力するコンテンツ信号復調部８と、上記光ディスク信号復調部６と上記コンテンツ信号復調部８との間に介在されて上記光ディスク信号Ｓ２を一時的に蓄積して光ディスク信号Ｓ３として読み出されるバッファメモリ部１０と、上記光ディスクＤ１を回転させるモータ部１２と、上記モータ部１２の回転数を変えて転送レートを制御すると共に上記光ディスク信号復調部６と、コンテンツ信号復調部８と、バッファメモリ部１０等を制御する例えばマイクロコンピュータ等よりなるシステム制御部１４とを主に有している。
【００１２】
上記光ディスク信号復調部６は、サーボ信号を取り出す回路やＡ／Ｄ変換器やエラー訂正回路（ＥＣＣ回路）等を含み、例えば光ディスクＤ１に記録されているＥＦＭ・Ｐｌｕｓ信号である１６ビットの再生信号Ｓ１を元の８ビットの光ディスク信号Ｓ２に復調する。尚、上記形成されたサーボ信号は、サーボ部１６へ送られて、光ピックアップ４のフォーカス・トラッキング制御を行なう。ここでは光ディスクＤ１の情報は、例えばＣＬＶ（線速度一定）で読み出される。
また上記コンテンツ信号復調部８は、伸長回路を有しており、例えばＭＰＥＧ変調されている光ディスク信号Ｓ２（Ｓ３）を復調して上記したように映像信号等のコンテンツ信号Ｓ４を出力する。
【００１３】
上記システム制御部１４は、上記サーボ部１６を介して光ディスクＤ１の回転数（転送レート）を制御すると共に、不揮発メモリ部１８を有しており、後述するように、この不揮発メモリ部１８にディスク識別記号（「ディスクＩＤ」とも称す）とその最低転送レートを対応させて表として記憶できるようになっている。すなわち、上記システム制御部１４は、必要に応じて上記バッファメモリ部１０がアンダフロー（データ蓄積量がゼロ以下になる）を生じさせない範囲内で低下させることができる光ディスクＤ１の最低転送レートを求めるための最低転送レート検査モードを行って、この時求めた最低転送レートとこのディスクＩＤとを対応させて上記したように表として上記不揮発メモリ部１８に記憶できるようになっている。この表には例えばディスクＩＤに対応させて最低転送レートとして例えば”２．５Ｘ”、”２Ｘ”、”１Ｘ”等が記憶されている。
【００１４】
さて、このような再生装置２において、光ディスクＤ１からの情報の再生が一旦、開始されたならば、コンテンツ信号復調部８からは途中で中断することなくコンテンツ信号を出力しなければならない。ここで一般的には、光ディスクＤ１から光ピックアップ４によって読み取られる再生信号Ｓ１の転送レートは、コンテンツ信号復調部８へ入力される光ディスク信号Ｓ３の転送レートよりも高いので、このコンテンツ信号復調部８の前段にバッファメモリ部１０を設けることによって光ディスクＤ１から先読みした情報（通常データ）を、このバッファメモリ部１０に一時的に蓄積しつつ後段の要求に応じて出力するようになっている。そして、バッファメモリ部１０のデータ蓄積量が常に一定の範囲内を維持するように、光ピックアップ４は読み取りを行なう操作と読み取りを行わないキック操作とを交互に適宜繰り返し行なうことになる。
【００１５】
次に、実際の再生動作について図３も参照して説明する。
まず、再生が開始されると、光ピックアップ４は光ディスクＤ１のリードイン領域Ｄｉｎを読みに行き、ここでディスクＩＤとこの規格上の転送レートの情報を読み取る（Ｓ１）。ここでは、この光ディスクＤ１はＨＤ盤であるので規格上の転送レートは例えば”３Ｘ”に規定してあるものと仮定する。このディスクＩＤの情報と規格上の転送レートの情報はシステム制御部１４へ送られる。
次に、システム制御部１４ではこのディスクＩＤを不揮発メモリ部１８の表と比較して同一ディスクＩＤが存在するか否かを判断する（Ｓ２）。この場合、ＹＥＳの時には、この光ディスクＤ１は、当該再生装置により過去に再生したことを意味するので、そのディスクＩＤに対応する最低転送レートをセットする（Ｓ３）。例えばディスクＩＤが”００２”の時は最低転送レートとして””２Ｘ”をセットする。
【００１６】
これにより、システム制御部１４は、上記規格上の転送レート”３Ｘ”ではなく、この最低転送レート”２Ｘ”で、すなわち上記最低転送レート”２Ｘ”で定まる線速度でモータ部（スピンドルモータ）１２を回転することになり、この後に読み出される画像データ等の通常のデータはバッファメモリ部１０側へ送られて最終的にコンテンツ信号Ｓ４として再生される。これにより、回転数を低下できた分だけ光ディスクＤ１の風切音の発生やディスクのアンバランスを原因とする振動等の発生を抑制することができる。
【００１７】
一方、上記ステップＳ２においてＮＯの場合、すなわち表中に同一のディスクＩＤが存在しない場合には、この光ディスクＤ１は当該再生装置で初めて再生することを意味するので、上記規格上の転送レート”３Ｘ”をセットする（Ｓ４）。そして、システム制御部１４は、この規格上の転送レート”３Ｘ”で、すなわちこの転送レート”３Ｘ”で定まる線速度でモータ部１２を回転することになる。従って、この場合にはディスクの風切音や振動等が発生することになる。そして、これと同時に、このシステム制御部１４は最低転送レート検査モードを並行して行なう（Ｓ５）。後述するように、この光ディスクＤ１を２回目以降再生する場合には、上記ステップＳ３に移行するので、上記風切音や振動等の発生は抑制されることになる。
【００１８】
ここで上記最低転送レート検査モードについて、図２及び図４も参照して説明する。まず、図２のグラフから説明する。図２（Ａ）はコンテンツ信号復調部８へ入る光ディスク信号Ｓ３の転送レートの変化を示し、図２（Ｂ）はバッファメモリ部１０内のデータ蓄積量の変化を示すグラフである。ここでは光ディスクＤ１から光ピックアップ４への読み取りの転送レートＴｄｐを２０Ｍｂｐｓと仮定し、またバッファメモリ部１０の容量を２５６Ｍｂｉｔであると仮定する。尚、図２（Ｂ）でデータ蓄積量が満杯になっていないのは、僅かに余裕をとっているからである。
【００１９】
図２（Ａ）に示すように、Ａ点では転送レートが鋭く上方に飛び出して３３Ｍｂｐｓ程度まで大きくなっているが、この部分の時間は少ないため、バッファメモリ部１０内のデータ蓄積量の減少（消費）は中程度である。このようなＡ点の画像は、例えば画面全体の動きが激しいような画像である。これに対して、Ｂ点に示すように、転送レートが２５Ｍｂｐｓ程度でもこの状態が長時間持続する場合にはデータ蓄積量の減少（消費）は非常に大きく、このＢ点の後に転送レートが比較的大きいＣ点がきた時、データ蓄積量は回復していないので、バッファメモリ部１０内のデータ蓄積量は更に大きく落ち込んでおり、図２（Ｂ）中のＰ１点で最低となっている。
【００２０】
このようにして光ディスクの全データに対して上記した図２に示したようなグラフを求めるとバッファメモリ部１０内のデータ蓄積量が最低となる点、例えばＰ１点が求まる。そして、このＰ１点におけるメモリ空き領域容量Ｖ１が、この光ディスクＤ１を再生する時に必要とされる最低のメモリ容量であり、この最低のメモリ容量が、このバッファメモリ部１０の全容量に対してどの程度の割合かを判断することによってどの程度、転送レート（回転数）を下げることができるか、すなわち、転送レートをバッファメモリ部１０のアンダフローが生じない範囲でどの程度まで下げることができるかを計算で求める。換言すれば、光ディスクＤ１の回転数を下げる程、Ｐ１点の谷は深くなり、この谷底がデータ蓄積量”ゼロ”になる直前まで回転数を下げることができるので、この時の最低の回転数、すなわち最低転送レートを求める。実際には、転送レート（回転数）の値は、通常は連続的ではなく、例えば”１．５Ｘ””２Ｘ”、”２．５Ｘ”のように間欠的に定まるので、上記間欠的な値より小さくならない範囲で最も小さい値を当該光ディスクへの最低転送レートとして決定することになる。
【００２１】
以上の動作を図４に示すフローを参照して説明する。
この最低転送レート検査モードでは、コンテンツの進行の例えば１秒毎のデータ量を測定、または読み取ってシステム制御部１４のテンポラリメモリ（図示せず）に書き込んで、コンテンツの再生が終了した時点で規格の転送レートに対してどの程度まで転送レート（回転数）を下げられるか計算を行って最低転送レートを求め、その結果を前述のようにディスクＩＤと共に不揮発メモリ部１８の表に記憶する。
【００２２】
まず、前述のように、光ディスクＤ１から光ピックアップ４への転送レート（再生速度）をＴｄｐとし、コンテンツ信号復調部８におけるデータ消費量、すなわち第ｋ番目（正の整数）のＧＯＰ（Ｇｒｏｕｐ  Ｏｆ  Ｐｉｃｔｕｒｅｓ）のデータ量Ｔｋとすると、単位時間毎、例えば０．５秒毎、或いは１秒毎に上記転送レートＴｄｂからコンテンツ復調部８のデータ消費量Ｔｋを引き算してその増加データ量（Ｔｄｐ−Ｔｋ）を求める（Ｓ１１）。尚、この増加データ量がマイナスになる場合もあることは前述した通りである。またＧＯＰとは、動画圧縮規格ＭＰＥＧで定められている映像フレームの１まとまりの単位グループを指し、１５フレーム（０．５秒）又は３０フレーム（１秒）を１まとまりとして扱うのが典型的である。
【００２３】
次に、上記増加データ量（Ｔｄｐ−Ｔｋ）を累積加算してバッファメモリ部１０内の現在のデータ蓄積量Ｍｔｂを求める（Ｓ１２）。ただしバッファメモリ部１０がオーバフローした際はそれ以上の加算は行わない。次に上記ステップＳ１１及びＳ１２をデータの再生が完了するまで行なう（Ｓ１３）。
次に、上記バッファメモリ部１０の容量に対してアンダフローを生じさせない範囲内で低下させることができる最低転送レート（回転数）を求める（Ｓ１４）。ここでアンダフローが生ずると、使用者が映像等を楽しんでいる時にその映像が一時的に途切れてしまうからである。
次に、ここで求めた最低転送レートを、このディスクＩＤと共に、不揮発メモリ部１４の表に書き込むことになる（Ｓ１５）。
【００２４】
このようにして、前述したように最低転送レートモードを終了することになる。従って、この再生装置で、特定の光ディスクを２回目以降再生する場合、最低転送レートがディスク規格上の転送レートよりも小さくなっていれば、再生映像等に悪影響を与えることなくディスクの風切音等の騒音の発生やアンバランスによる振動等の発生を確実に抑制することができる。
尚、本実施例では最低転送レートの値として、”２．５Ｘ”、”２Ｘ”、”１．５Ｘ”、”１Ｘ”の場合を例にとって説明したが、これに限定されず、他の値、例えば更に細かい値等を用いるようにしてもよい。
【図面の簡単な説明】
【００２５】
【図１】本発明の光ディスクの再生装置を示すブロック構成図である。
【図２】コンテンツ信号復調部へ入る光ディスク信号の転送レートの変化とバッファメモリ部内のデータ蓄積量の変化を示すグラフである。
【図３】光ディスクの再生動作を示すフローチャートである。
【図４】転送レート検査モードを示すフローチャートである。
【符号の説明】
【００２６】
２…再生装置、４…光ピックアップ、６…光ディスク信号復調部、８…コンテンツ信号復調部、１０…バッファメモリ部、１２…モータ部、１４…システム制御部、１６…サーボ部、１８…揮発メモリ部、Ｄ１…光ディスク、Ｓ１…再生信号、Ｓ２，Ｓ３…光ディスク信号、Ｓ４…コンテンツ信号。
【図１】
2005158122.tif 000003
【図２】
2005158122.tif 000004
【図３】
2005158122.tif 000005
【図４】
2005158122.tif 000006